(57)【要約】【課題】筐体の開口部を介した電磁波の漏洩と、静電気の流入とを回避することができる電子機器を提供する。【解決手段】本発明の電子機器は、筐体２１、開口部２６、マージン領域３１、導電皮膜３２、境界部３３、および突起状皮膜３４を具備する。開口部２６は、筐体２１に設けられる。マージン領域３１は、筐体２１の内面で、開口部２６の周囲を取り囲んでいる。導電皮膜３２は、筐体２１の内面で、マージン領域３１よりも外側に形成されている。境界部３３は、マージン領域３１と導電皮膜３２との間に位置する。突起状皮膜３４は、導電皮膜３２と一体に形成されるとともに、境界部３３からマージン領域３１内にはみ出ている。【選択図】      図５
2008140923.tif 000002
【特許請求の範囲】
【請求項１】
筐体と、
前記筐体に設けられた開口部と、
前記筐体の内面で、前記開口部の周囲を取り囲むマージン領域と、
前記筐体の内面で、前記マージン領域よりも外側に形成された導電皮膜と、
前記マージン領域と前記導電性膜との間に位置する境界部と、
前記導電皮膜と一体に形成されるとともに、前記境界部から前記マージン領域内にはみ出た突起状皮膜と、
を具備することを特徴とする電子機器。
【請求項２】
前記導電皮膜および前記突起状皮膜は、前記筐体の内面に対する吹き付け塗装で一括して形成されることを特徴とする請求項１に記載の電子機器。
【請求項３】
前記突起状皮膜は、前記開口部に向かって突出していることを特徴とする請求項２に記載の電子機器。
【請求項４】
前記突起状皮膜は、先端部を有し、この先端部は尖っていることを特徴とする請求項３に記載の電子機器。
【請求項５】
前記先端部は、前記開口部に接していることを特徴とする請求項４に記載の電子機器。
【請求項６】
前記先端部と、前記開口部との間には、隙間が設けられることを特徴とする請求項４に記載の電子機器。
【請求項７】
前記先端部は、直角、鋭角、および鈍角のうち、いずれかをなしていることを特徴とする請求項５または請求項６に記載の電子機器。
【請求項８】
前記先端部は、８０度以上で、１００度以下の角度をなしていることを特徴とする請求項７に記載の電子機器。
【請求項９】
前記突起状皮膜は、複数のもので構成されるとともに、前記開口部の周囲に均等に配置することを特徴とする請求項２ないし請求項８のいずれか１項に記載の電子機器。
【請求項１０】
前記突起状皮膜は、４個以上で、８個以下であることを特徴とする請求項９に記載の電子機器。
【請求項１１】
前記開口部は、方形をなしていることを特徴とする請求項２ないし請求項５のいずれか１項に記載の電子機器。
【請求項１２】
前記突起状皮膜は、前記開口部の角部を外れた位置に設けられることを特徴とする請求項１１に記載の電子機器。
【請求項１３】
前記突起状皮膜は、複数のもので構成されるとともに、前記開口部の周囲に均等に配置することを特徴とする請求項１１または請求項１２に記載の電子機器。
【請求項１４】
前記突起状皮膜は、４個以上で、８個以下であることを特徴とする請求項１３に記載の電子機器。
【請求項１５】
前記吹き付け塗装は、前記筐体に装着される塗装治具を用いることを特徴とする請求項２ないし請求項１４のいずれか１項に記載の電子機器。
【請求項１６】
前記マージン領域は、前記塗装治具が被さる領域に形成されることを特徴とする請求項１５に記載の電子機器。
【請求項１７】
前記塗装治具は、本体と、前記本体の周囲に形成された複数の溝部を有し、
前記突起状皮膜は、前記複数の溝部に対応する位置に形成されることを特徴とする請求項１５または請求項１６に記載の電子機器。
【請求項１８】
前記開口部は、複数のもので構成され、
前記塗装治具は、複数の前記開口部にそれぞれ対応する複数のブロックを連結して形成されることを特徴とする請求項１５ないし請求項１７のいずれか１項に記載の電子機器。
【発明の詳細な説明】
【技術分野】
【０００１】
本発明は、電波対策がなされた電子機器に関する。
【背景技術】
【０００２】
例えば、電子機器の筐体に対して導電性の皮膜を形成する際に用いられる静電塗装用治具として、以下のようなものがある。この静電塗装用治具は、板体と、板体の側面に固着された位置決め部と、板体を吊り下げることができる吊り下げ部と、を有している。一方、これに取り付けられる筐体は、上側部材と下側部材とから構成される。
【０００３】
筐体は、上側部材と下側部材とで板体を挟みこむようにして、静電塗装用治具に取り付けられる。この状態で、静電塗装用治具の吊り下げ部を静電塗装ラインのコンベアに装着する。塗装ガンは、この静電塗装用治具および筐体に対して静電塗装を行い、筐体の表面に導電性の皮膜を形成する。筐体は、この導電性の皮膜によって電磁波を遮断するシールド効果を発揮することができる（例えば、特許文献１参照）。
【０００４】
ところで、このような導電性の皮膜は、人体等に蓄えられた静電気の影響から電子機器を守るためにも機能する。このため、導電性の皮膜は、電子機器から発生する電磁波を遮断するだけでなく、静電気から電子機器を守るためにも、筐体に対して施されることが多い。
【特許文献１】特開平６−１４２５６０号公報
【発明の開示】
【発明が解決しようとする課題】
【０００５】
電子機器は、その筐体に複数の開口部を有し、この開口部を介して外部の機器との電気的な接続を確保している。しかし、この開口部には、導電性の皮膜を設けることができない。このため、ユーザの指などがこの開口部に接触した際に、ユーザに蓄積された静電気が筐体内の電子部品に伝達される恐れがある。これにより、電子機器に故障を生ずる恐れがある。また、この開口部を通って電磁波が周囲に漏れる可能性がある。
【０００６】
本発明の目的は、筐体の開口部を介した電磁波の漏洩と、静電気の流入とを回避することができる電子機器を提供することにある。
【課題を解決するための手段】
【０００７】
前記目的を達成するため、本発明の一つの形態に係る電子機器は、筐体と、前記筐体に設けられた開口部と、前記筐体の内面で、前記開口部の周囲を取り囲むマージン領域と、前記筐体の内面で、前記マージン領域よりも外側に形成された導電皮膜と、前記マージン領域と前記導電性膜との間に位置する境界部と、前記導電皮膜と一体に形成されるとともに、前記境界部から前記マージン領域内にはみ出た突起状皮膜と、を具備する。
【発明の効果】
【０００８】
本発明によれば、筐体の開口部を介した電磁波の漏洩と、静電気の流入とを回避することができる電子機器を提供できる。
【発明を実施するための最良の形態】
【０００９】
以下に、図１から図１０を参照して、電子機器の実施形態について説明する。図１に示すように、電子機器の一例であるポータブルコンピュータ１１は、本体ユニット１２と、表示ユニット１３と、本体ユニット１２と表示ユニット１３との間に設けられるヒンジ機構１４と、を備えている。表示ユニット１３は、ディスプレイ１５を有している。ヒンジ機構１４は、表示ユニット１３を支持している。ヒンジ機構１４は、表示ユニット１３を本体ユニット１２に対して回動できるように、表示ユニット１３を支持している。
【００１０】
本体ユニット１２は、筐体２１と、キーボード２２と、ポインティングデバイスであるタッチパッド２３およびボタン２４と、を有している。筐体２１は、上側の第１のケース２１Ａと、下側の第２のケース２１Ｂと、手前側のフロントパネル２１Ｃを有している。第１のケース２１Ａおよび第２のケース２１Ｂは、その内面に導電性のグランド層を有している。図２に示すように、本体ユニット１２は、筐体２１の内部に、プリント回路板と、プリント回路板上に実装された複数の電子部品と、を収容している。
【００１１】
フロントパネル２１Ｃは、パネル本体２５と、パネル本体２５に設けられた複数の開口部２６と、第１のケース２１Ａおよび第２のケース２１Ｂへ取り付けるための取付部２７と、を有している。複数の開口部２６は、一対の円形の第１の開口部２６Ａと、長方形の第２の開口部２６Ｂと、方形の第３の開口部２６Ｃと、を含んでいる。
【００１２】
図５に示すように、フロントパネル２１Ｃの内面には、第１の開口部２６Ａの周囲を取り囲む第１のマージン領域３１と、第１のマージン領域３１よりも外側に形成された導電皮膜３２と、第１のマージン領域３１と導電皮膜３２との間に位置する第１の境界部３３と、第１の境界部３３から第１のマージン領域３１内にはみ出た第１の突起状皮膜３４と、が設けられている。第１の突起状皮膜３４は、導電皮膜３２と一体に形成されている。導電皮膜３２および第１の突起状皮膜３４は、無電解銅ニッケル素材によって、フロントパネル２１Ｃの内面をコーティングするように形成されている。フロントパネル２１Ｃの導電皮膜３２は、取付部２７を介して第１のケース２１Ａおよび第２のケース２１Ｂのグランド層に電気的に接続されている。
【００１３】
第１の突起状皮膜３４は、円形の第１の開口部２６Ａの周囲の例えば５箇所に、均等に配置するように形成されている。第１の突起状皮膜３４は、第１の境界部３３から第１のマージン領域３１内にはみ出して形成されている。第１の突起状皮膜３４は、第１の開口部２６Ａに向かって突出している。第１の突起状皮膜３４は、第１の先端部３４Ａを有している。第１の先端部３４Ａは、第１の開口部２６Ａに向かって尖っている。図６に示すように、第１の突起状皮膜３４の第１の先端部３４Ａは、例えば９０度の角度、すなわち直角をなしている。第１の先端部３４Ａは、第１の開口部２６Ａに接するように形成されている。
【００１４】
図８に示すように、フロントパネル２１Ｃの内面には、第２の開口部２６Ｂの周囲を取り囲む第２のマージン領域３８と、第２のマージン領域３８よりも外側に形成された導電皮膜３２と、第２のマージン領域３８と導電皮膜３２との間に位置する第２の境界部３９と、第２の境界部３９から第２のマージン領域３８内にはみ出た第２の突起状皮膜４０と、が設けられている。第２の突起状皮膜４０は、導電皮膜３２と一体に形成されている。第２の突起状皮膜４０は、導電皮膜３２と同様に無電解銅ニッケル素材によって、フロントパネル２１Ｃの内面をコーティングするように形成されている。
【００１５】
第２の突起状皮膜４０は、長方形の第２の開口部２６Ｂの周囲の例えば８箇所に、均等に配置するように形成されている。第２の突起状皮膜４０は、第３の開口部２６Ｃの角部を外れた位置に設けられている。第２の突起状皮膜４０は、第２の境界部３９から第２のマージン領域３８内にはみ出して形成されている。第２の突起状皮膜４０は、第２の開口部２６Ｂに向かって突出している。第２の突起状皮膜４０は、第２の先端部４０Ａを有している。第２の先端部４０Ａは、第２の開口部２６Ｂに向かって尖っている。図８に示すように、第２の突起状皮膜４０の第２の先端部４０Ａは、例えば９０度の角度、すなわち直角をなしている。第２の先端部４０Ａは、第２の開口部２６Ｂに接するように形成されている。
【００１６】
図１０に示すように、フロントパネル２１Ｃの内面には、第３の開口部２６Ｃの周囲を取り囲む第３のマージン領域４３と、第３のマージン領域４３よりも外側に形成された導電皮膜３２と、第３のマージン領域４３と導電皮膜３２との間に位置する第３の境界部４４と、第３の境界部４４から第３のマージン領域４３内にはみ出た第３の突起状皮膜４５と、が設けられている。第３の突起状皮膜４５は、導電皮膜３２と一体に形成されている。第３の突起状皮膜４５は、導電皮膜３２と同様に無電解銅ニッケル素材によって、フロントパネル２１Ｃの内面をコーティングするように形成されている。
【００１７】
第３の突起状皮膜４５は、長方形の第３の開口部２６Ｃの周囲の例えば４箇所に、均等に配置するように形成されている。第３の突起状皮膜４５は、第３の開口部２６Ｃの角部を外れた位置に設けられている。第３の突起状皮膜４５は、第３の境界部４４から第３のマージン領域４３内にはみ出して形成されている。第３の突起状皮膜４５は、第３の開口部２６Ｃに向かって突出している。第３の突起状皮膜４５は、第３の先端部４５Ａを有している。第３の先端部４５Ａは、第３の開口部２６Ｃに向かって尖っている。図１０に示すように、第３の突起状皮膜４５の第３の先端部４５Ａは、例えば９０度の角度、すなわち直角をなしている。第３の先端部４５Ａは、第３の開口部２６Ｃに接するように形成されている。
【００１８】
なお、第２の突起状皮膜４０は、８個で形成され、第３の突起状皮膜４５は、４個で形成されているが、これに限定されるものではない。すなわち、第２、第３の突起状皮膜４０、４５は、４個以上で、８個以下であれば、どのような数であってもよい。
【００１９】
続いて、フロントパネル２１Ｃの内面に導電皮膜３２を形成する際に用いられる塗装治具４８について説明する。図２と図３に示すように、塗装治具４８は、一対の第１の開口部２６Ａにそれぞれ対応する一対の第１のブロック４９と、第２の開口部２６Ｂに対応する第２のブロック５０と、第３の開口部２６Ｃに対応する第３のブロック５１と、第１のブロック４９、第２のブロック５０および第３のブロック５１を一括して支持する支持部５２と、を有している。塗装治具４８は、金属材料により形成されている。
【００２０】
図４に示すように、第１のブロック４９は、円柱形状の第１の本体４９Ａと、第１の本体４９Ａの周囲に形成された５個の第１の溝部４９Ｂと、を有している。各第１の溝部４９Ｂは、「Ｖ」字形をなしている。
【００２１】
図７に示すように、第２のブロック５０は、四角柱状の第２の本体５０Ａと、第２の本体５０Ａの周囲に形成された８個の第２の溝部５０Ｂと、を有している。各第２の溝部５０Ｂは、例えば９０度の角度で、「Ｖ」字形をなしている。
【００２２】
図９に示すように、第３のブロック５１は、四角柱状の第３の本体５１Ａと、第３の本体５１Ａの周囲に形成された４個の第３の溝部５１Ｂと、を有している。各第３の溝部５１Ｂは、「Ｖ」字形をなしている。
【００２３】
この塗装治具４８を用いた導電皮膜３２および第１から第３の突起状皮膜３４、４０、４５の製造工程について説明する。図２に示すように、筐体２１のフロントパネル２１Ｃに対して塗装治具４８を装着する。すなわち、第１の開口部２６Ａに対して第１のブロック４９が、第２の開口部２６Ｂに対して第２のブロック５０が、第３の開口部２６Ｃに対して第３のブロック５１が、それぞれ嵌るようにフロントパネル２１Ｃに塗装治具４８を装着する。
【００２４】
続いて、図３に示すように、このフロントパネル２１Ｃおよび塗装治具４８に対して無電解銅ニッケル素材を塗装ガン５３により吹き付けて塗装する。塗装の終了後、塗装治具４８をフロントパネル２１Ｃから除去する。こうして、図５に示すように、第１の開口部２６Ａの近傍では、塗装治具４８の第１のブロック４９が被さる領域に第１のマージン領域３１が形成される。また、第１の溝部４９Ｂに対応する位置に、第１の突起状皮膜３４が形成される。
【００２５】
図８に示すように、第２の開口部２６Ｂの近傍では、塗装治具４８の第２のブロック５０が被さる領域に第２のマージン領域３８が形成される。また、第２の溝部５０Ｂに対応する位置に、第２の突起状皮膜４０が形成される。さらに、図１０に示すように、第３の開口部２６Ｃの近傍では、塗装治具４８の第３のブロック５１が被さる領域に第３のマージン領域４３が形成される。また、第３の溝部５１Ｂに対応する位置に、第３の突起状皮膜４５が形成される。こうして、導電皮膜３２および第１、第２、第３の突起状皮膜３４、４０、４５は、このフロントパネル２１Ｃの内面に対する吹き付け塗装で一括して形成される。
【００２６】
以上が、電子機器の第１の実施形態である。第１の実施形態によれば、フロントパネル２１Ｃの内面に第１、第２、第３の突起状皮膜３４、４０、４５が設けられる。また、この第１の突起状皮膜３４は、導電皮膜３２と一体に形成されるとともに、第１の境界部３３から第１のマージン領域３１内にはみ出している。第２の突起状皮膜４０は、導電皮膜３２と一体に形成されるとともに、第２の境界部３９から第２のマージン領域３８内にはみ出している。第３の突起状皮膜４５は、導電皮膜３２と一体に形成されるとともに、第３の境界部４４から第３のマージン領域４３内にはみ出している。通常、開口部２６を避けて筐体２１の内面に導電皮膜３２を形成するには、開口部２６の周囲に所定のマージンを設けることが必要とされる。
【００２７】
この構成によれば、第１、第２、第３のマージン領域３１、３８、４３の面積が小さくなるため、これらを介して外部に漏洩する電磁波の量を低減できる。また、第１、第２、第３の突起状皮膜３４、４０、４５が第１、第２、第３のマージン領域３１、３８、４３内に張り出すため、静電気を帯電したユーザの指が開口部２６の近傍に接触した場合であっても、第１、第２、第３の突起状皮膜３４、４０、４５によってこの静電気を吸収して、筐体２１内に静電気が流入しないようにできる。
【００２８】
この場合、導電皮膜３２および第１、第２、第３の突起状皮膜３４、４０、４５は、筐体２１の内面に対する吹き付け塗装で形成される。この構成によれば、筐体２１のフロントパネル２１Ｃの内面のみに、導電皮膜３２のコーティングを施すことができる。このため、フロントパネル２１Ｃの外面の美観を向上できる。また、導電皮膜３２および第１、第２、第３の突起状皮膜３４、４０、４５を一括して簡単に形成できる。
【００２９】
この場合、第１、第２、第３の突起状皮膜３４、４０、４５は、開口部２６Ａ，２６Ｂ，２６Ｃに向かって突出している。この構成によれば、第１、第２、第３の突起状皮膜３４、４０、４５を開口部２６Ａ，２６Ｂ，２６Ｃに向けて延びるように配置することができる。このため、第１、第２、第３の突起状皮膜３４、４０、４５が開口部２６Ａ，２６Ｂ，２６Ｃの近傍に配置され、この開口部２６Ａ，２６Ｂ，２６Ｃの近傍において、静電気が筐体２１内に流入してしまうことを防止することができる。
【００３０】
この場合、第１、第２、第３の突起状皮膜３４、４０、４５は、第１、第２、第３の先端部３４Ａ、４０Ａ、４５Ａを有し、これらは尖っている。この構成によれば、筐体２１のフロントパネル２１Ｃに対して導電皮膜３２および第１、第２、第３の突起状皮膜３４、４０、４５を吹き付け塗装する際に、第１、第２、第３の先端部３４Ａ、４０Ａ、４５Ａに塗装材料がまわり過ぎるのを防止することができる。これにより、導電皮膜３２の材料が開口部２６に浸入し、フロントパネル２１Ｃの外面にまで導電皮膜３２の材料が到達して、電子機器の外観を損ねる事態を防止できる。
【００３１】
この場合、第１、第２、第３の先端部３４Ａ、４０Ａ、４５Ａは、第１、第２、第３の開口部２６Ａ、２６Ｂ、２６Ｃに接している。この構成によれば、静電気を帯電したユーザの指が第１、第２、第３の開口部２６Ａ、２６Ｂ、２６Ｃの近傍にのみ接触した場合であっても、この静電気を導電皮膜３２によって吸収することができる。また、第１、第２、第３の先端部３４Ａ、４０Ａ、４５Ａは尖っているため、導電皮膜３２の吹き付け塗装時に、導電皮膜３２の材料が第１、第２、第３の先端部３４Ａ、４０Ａ、４５Ａから開口部２６に浸入してしまう事態を防止できる。
【００３２】
この場合、第１、第２、第３の突起状皮膜３４、４０、４５は、複数のもので構成されるとともに、第１、第２、第３の開口部２６Ａ、２６Ｂ、２６Ｃの周囲に均等に配置している。この構成によれば、第１、第２、第３のマージン領域３１、３８、４３を介して筐体２１内から電子波が周囲に漏れ出てしまう確率を低くすることができる。またこの構成によれば、静電気を帯電したユーザが開口部２６の近傍に接触した場合であっても、当該静電気が筐体２１内に流入してしまう危険性を極力小さくすることができる。
【００３３】
また、第２の開口部２６Ｂおよび第３の開口部２６Ｃは、方形をなしている。この構成によれば、方形の第２の開口部２６Ｂの周囲に複数の第２の突起状皮膜４０が均等に配置するとともに、方形の第３の開口部２６Ｃの周囲に複数の第３の突起状皮膜４５が均等に配置する。これにより、第２の開口部２６Ｂおよび第３の開口部２６Ｃの形状が方形であっても、これらから電磁波が漏れたり、これらの部分から静電気が流入したりする事態を防止することができる。
【００３４】
この場合、第２の突起状皮膜４０および第３の突起状皮膜４５は、第２の開口部２６Ｂおよび第３の開口部２６Ｃの角部を外れた位置に設けられている。この構成によれば、第２、第３の突起状皮膜４０、４５が、導電皮膜３２の吹き付け塗装時に導電皮膜の材料が浸入し易い開口部２６Ｂ、２６Ｃの角部から外れているため、第２、第３の突起状皮膜４５を介して導電皮膜３２の材料が開口部２６Ｂ、２６Ｃに浸入してしまう事態を防止することができる。
【００３５】
この場合、吹き付け塗装は、筐体２１に装着される塗装治具４８を用いて行われる。この構成によれば、筐体２１のフロントパネル２１Ｃに対して、導電皮膜３２、マージン領域３１、３８、４３および第１、第２、第３の突起状皮膜３４、４０、４５を簡単かつ高精度で形成することができる。
【００３６】
この場合、第１、第２、第３のマージン領域３１、３８、４３は、塗装治具４８が被さる領域に形成される。この構成によれば、第１、第２、第３のマージン領域３１、３８、４３に対して導電皮膜３２を形成しないようにすることができる。
【００３７】
この場合、塗装治具４８は、第１から第３の本体４９Ａ、５０Ａ、５１Ａと、これらの周囲に形成された第１から第３の溝部４９Ｂ、５０Ｂ、５１Ｂを有する。第１、第２、第３の突起状皮膜３４、４０、４５は、第１から第３の溝部４９Ｂ、５０Ｂ、５１Ｂに対応する位置に形成される。この構成によれば、第１から第３の溝部４９Ｂ、５０Ｂ、５１Ｂは、第１、第２、第３の突起状皮膜３４、４０、４５を簡単かつ精度良く形成することができる。
【００３８】
この場合、開口部２６は、複数のもので構成され、塗装治具４８は、複数の開口部２６にそれぞれ対応する第１から第３のブロック４９、５０、５１を連結して形成される。この構成によれば、複数の開口部２６に対応する塗装治具４８を、一括して筐体２１のフロントパネル２１Ｃに装着したり、一括して筐体２１のフロントパネル２１Ｃから取り外したりすることができる。
【００３９】
続いて、図１１と図１２を参照して、電子機器の第２の実施形態について説明する。第２の実施形態に係る電子機器の一例であるポータブルコンピュータ６１は、第１の突起状皮膜６２および第１のマージン領域６３の構造が第１の実施形態のものと異なっているが、他の部分は第１の実施形態と共通している。このため、主として異なる部分について説明し、共通する部分については共通の符号を付して説明を省略する。
【００４０】
図１１に示すように、筐体２１のフロントパネル２１Ｃの内面には、第１の開口部２６Ａの周囲を取り囲む第１のマージン領域６３と、第１のマージン領域６３よりも外側に形成された導電皮膜３２と、第１のマージン領域６３と導電皮膜３２との間に位置する第１の境界部３３と、第１の境界部３３から第１のマージン領域６３内にはみ出た第１の突起状皮膜６２と、が設けられている。第１の突起状皮膜６２は、導電皮膜３２と一体に形成されている。
【００４１】
第１の突起状皮膜６２は、第１の開口部２６Ａの周囲の例えば４箇所に均等に配置するように形成されている。第１の突起状皮膜６２は、第１の境界部３３から第１のマージン領域６３内にはみ出しており、第１の開口部２６Ａに向かって突出している。第１の突起状皮膜６２は、第１の開口部２６Ａに向かって尖っている第１の先端部６２Ａを有している。図１２に示すように、第１の突起状皮膜６２の第１の先端部６２Ａは、例えば、１００度の角度をなしている。第１の先端部６２Ａは、第１の開口部２６Ａに接するように形成されている。
【００４２】
続いて、図１３と図１４を参照して、電子機器の第３の実施形態について説明する。第３の実施形態に係る電子機器の一例であるポータブルコンピュータ７１は、第１の突起状皮膜７２および第１のマージン領域７３の構造が第１の実施形態のものと異なっているが、他の部分は第１の実施形態と共通している。このため、主として異なる部分について説明し、共通する部分については共通の符号を付して説明を省略する。
【００４３】
図１３に示すように、筐体２１のフロントパネル２１Ｃの内面には、第１の開口部２６Ａの周囲を取り囲む第１のマージン領域７３と、第１のマージン領域７３よりも外側に形成された導電皮膜３２と、第１のマージン領域７３と導電皮膜３２との間に位置する第１の境界部３３と、第１の境界部３３から第１のマージン領域７３内にはみ出た第１の突起状皮膜７２と、が設けられている。第１の突起状皮膜７２は、導電皮膜３２と一体に形成されている。
【００４４】
第１の突起状皮膜７２は、第１の開口部２６Ａの周囲の例えば８箇所に均等に配置するように形成されている。第１の突起状皮膜７２は、第１の境界部３３から第１のマージン領域７３内にはみ出しており、第１の開口部２６Ａに向かって突出している。第１の突起状皮膜７２は、第１の開口部２６Ａに向かって尖っている第１の先端部７２Ａを有している。図１４に示すように、第１の突起状皮膜７２の第１の先端部７２Ａは、例えば、８０度の角度をなしている。第１の先端部７２Ａは、第１の開口部２６Ａに接するように形成されている。
【００４５】
なお、第２の実施形態および第３の実施形態では、第１の先端部６２Ａは、１００度で形成されるとともに、第１の先端部７２Ａは、８０度で形成されているが、これらに限られるものではない。すなわち、第１の先端部６２Ａ、７２Ａは、８０度以上で、１００度以下の角度であれば、どのような角度であってもよい。同様に、第１の突起状皮膜６２は、４個で構成されるとともに、第１の突起状皮膜７２は、８個で構成されているが、これに限定されるものではない。すなわち、第１の突起状皮膜６２、７２は、４個以上で、８個以下であれば、どのような数であってもよい。
【００４６】
第２の実施形態および第３の実施形態の電子機器によれば、第１の突起状皮膜６２、７２の第１の先端部６２Ａ、７２Ａは、鋭角または鈍角をなしている。この構成によれば、第１の先端部６２Ａ、７２Ａは、鋭角、鈍角のいずれであっても、電磁波の外部への漏洩と、静電気の外部からの流入とを防止することができる。この場合、第１の突起状皮膜３４の数が多い場合には、第１の突起状皮膜６２、７２の第１の先端部６２Ａ、７２Ａの角度は小さく、第１の突起状皮膜６２、７２の数が少ない場合には、第１の突起状皮膜６２、７２の第１の先端部６２Ａ、７２Ａの角度は大きいことが好ましい。
【００４７】
この場合、第１の先端部３４Ａは、８０度以上で、１００度以下の角度をなしている。一般に、吹き付け塗装をする際には、第１の先端部６２Ａ、７２Ａの角度が狭くなり過ぎると、導電性膜の材料が第１の先端部６２Ａ、７２Ａまでまわらなくなり、第１の先端部６２Ａ、７２Ａの角度が広くなり過ぎると、第１の先端部６２Ａ、７２Ａを介して導電皮膜３２の材料が第１の開口部２６Ａまで漏れてしまう事態を生じる。この構成によれば、第１の先端部６２Ａ、７２Ａの角度が吹き付け塗装に好適な範囲内になるため、第１の突起状皮膜３４を適切に形成することができる。
【００４８】
この場合、第１の突起状皮膜６２、７２は、４個以上で、８個以下である。この構成によれば、第１の突起状皮膜６２、７２の数が適正な範囲内になるため、電磁波の漏洩および静電気の流入とを有効に防止できる。
【００４９】
続いて、図１５と図１６を参照して、電子機器の第４の実施形態について説明する。第４の実施形態に係る電子機器の一例であるポータブルコンピュータ８１は、第１の突起状皮膜８２および第１のマージン領域８３の構造が第１の実施形態のものと異なっているが、他の部分は第１の実施形態と共通している。このため、主として異なる部分について説明し、共通する部分については共通の符号を付して説明を省略する。
【００５０】
図１５に示すように、筐体２１のフロントパネル２１Ｃの内面には、第１の開口部２６Ａの周囲を取り囲む第１のマージン領域８３と、第１のマージン領域８３よりも外側に形成された導電皮膜３２と、第１のマージン領域８３と導電皮膜３２との間に位置する第１の境界部３３と、第１の境界部３３から第１のマージン領域８３内にはみ出た第１の突起状皮膜８２と、が設けられている。第１の突起状皮膜８２は、導電皮膜３２と一体に形成されている。
【００５１】
第１の突起状皮膜８２は、第１の開口部２６Ａの周囲の例えば５箇所に均等に配置するように形成されている。第１の突起状皮膜８２は、第１の境界部３３から第１のマージン領域８３内にはみ出しており、第１の開口部２６Ａに向かって突出している。第１の突起状皮膜８２は、第１の開口部２６Ａに向かって尖っている第１の先端部８２Ａを有している。図１６に示すように、第１の突起状皮膜８２の第１の先端部８２Ａは、例えば９０度の角度、すなわち直角をなしている。第１の先端部８２Ａと第１の開口部２６Ａとの間には、隙間８４が形成されている。
【００５２】
第４の実施形態の電子機器によれば、第１の先端部８２Ａと、第１の開口部２６Ａとの間には、隙間８４が形成されている。この構成によれば、隙間８４は、導電皮膜３２を吹き付け塗装する際に、導電性膜の材料に対するバッファーゾーンになる。このため、たとえ第１の先端部８２Ａから導電皮膜３２の材料が漏れることがあっても、導電皮膜３２の材料が第１の開口部２６Ａひいては筐体２１の外面にまで到達してしまう事態を極力防止できる。
【００５３】
続いて、図１７と図１８を参照して、電子機器の第５の実施形態について説明する。第４の実施形態に係る電子機器の一例であるポータブルコンピュータ９１は、第１の突起状皮膜９２および第１のマージン領域９３の構造が第１の実施形態のものと異なっているが、他の部分は第１の実施形態と共通している。このため、主として異なる部分について説明し、共通する部分については共通の符号を付して説明を省略する。
【００５４】
図１７に示すように、筐体２１のフロントパネル２１Ｃ内面には、第１の開口部２６Ａの周囲を取り囲む第１のマージン領域９３と、第１のマージン領域９３よりも外側に形成された導電皮膜３２と、第１のマージン領域９３と導電皮膜３２との間に位置する第１の境界部３３と、第１の境界部３３から第１のマージン領域９３内にはみ出た第１の突起状皮膜９２と、が設けられている。第１の突起状皮膜９２は、導電皮膜３２と一体に形成されている。
【００５５】
第１の突起状皮膜９２は、第１の開口部２６Ａの周囲の例えば４箇所に均等に配置するように形成されている。第１の突起状皮膜９２は、第１の境界部３３から第１のマージン領域９３内にはみ出しており、第１の開口部２６Ａに向かって突出している。第１の突起状皮膜９２は、第１の開口部２６Ａに向かって尖っている第１の先端部９２Ａを有している。図１８に示すように、第１の突起状皮膜９２の第１の先端部９２Ａは、例えば、１００度の角度をなしている。第１の先端部９２Ａと第１の開口部２６Ａとの間には、隙間９４が形成されている。
【００５６】
次に、図１９と図２０を参照して、電子機器の第６の実施形態について説明する。第６の実施形態に係る電子機器の一例であるポータブルコンピュータ１０１は、第１の突起状皮膜１０２および第１のマージン領域１０３の構造が第１の実施形態のものと異なっているが、他の部分は第１の実施形態と共通している。このため、主として異なる部分について説明し、共通する部分については共通の符号を付して説明を省略する。
【００５７】
図１９に示すように、筐体２１のフロントパネル２１Ｃの内面には、第１の開口部２６Ａの周囲を取り囲む第１のマージン領域１０３と、第１のマージン領域１０３よりも外側に形成された導電皮膜３２と、第１のマージン領域１０３と導電皮膜３２との間に位置する第１の境界部３３と、第１の境界部３３から第１のマージン領域１０３内にはみ出た第１の突起状皮膜１０２と、が設けられている。第１の突起状皮膜１０２は、導電皮膜３２と一体に形成されている。
【００５８】
第１の突起状皮膜１０２は、第１の開口部２６Ａの周囲の例えば８箇所に均等に配置するように形成されている。第１の突起状皮膜１０２は、第１の境界部３３から第１のマージン領域１０３内にはみ出しており、第１の開口部２６Ａに向かって突出している。第１の突起状皮膜１０２は、第１の開口部２６Ａに向かって尖っている第１の先端部１０２Ａを有している。図２０に示すように、第１の突起状皮膜１０２の第１の先端部１０２Ａは、例えば、８０度の角度をなしている。第１の先端部１０２Ａと第１の開口部２６Ａとの間には、隙間１０４が形成されている。
【００５９】
なお、第５の実施形態および第６の実施形態では、第１の先端部９２Ａは、１００度で形成されるとともに、第１の先端部１０２Ａは、８０度で形成されているが、これらに限られるものではない。すなわち、第１の先端部９２Ａ、１０２Ａは、８０度以上で、１００度以下の角度であれば、どのような角度であってもよい。同様に、第１の突起状皮膜９２は、４個で構成されるとともに、第１の突起状皮膜１０２は、８個で構成されているが、これに限定されるものではない。すなわち、第１の突起状皮膜９２、１０２は、４個以上で、８個以下であれば、どのような数であってもよい。
【００６０】
第５の実施形態および第６の実施形態の電子機器によれば、第１の突起状皮膜９２、１０２の第１の先端部９２Ａ、１０２Ａは、鋭角または鈍角をなしている。この構成によれば、第１の先端部９２Ａ、１０２Ａは、鋭角、鈍角のいずれであっても、電磁波の外部への漏洩と、静電気の外部からの流入とを防止することができる。この場合、第１の突起状皮膜９２、１０２の数が多い場合には、第１の先端部９２Ａ、１０２Ａの角度を小さくし、第１の突起状皮膜９２、１０２の数が少ない場合には、第１の先端部９２Ａ、１０２Ａの角度を大きくすることが好ましい。
【００６１】
この場合、第１の先端部９２Ａ、１０２Ａは、８０度以上で、１００度以下の角度をなしている。一般に、吹き付け塗装をする際には、第１の先端部９２Ａ、１０２Ａの角度が狭くなり過ぎると、導電皮膜３２の材料が第１の先端部９２Ａ、１０２Ａまでまわらなくなり、第１の先端部９２Ａ、１０２Ａの角度が広くなり過ぎると、第１の先端部９２Ａ、１０２Ａを介して導電皮膜３２の材料が第１の開口部２６Ａまで漏れてしまう事態を生じる。この構成によれば、第１の先端部９２Ａ、１０２Ａの角度が吹き付け塗装に好適な範囲内になるため、第１の突起状皮膜９２、１０２を適切に形成することができる。
【００６２】
この場合、第１の突起状皮膜９２、１０２は、４個以上で、８個以下である。この構成によれば、第１の突起状皮膜９２、１０２の数が適正な範囲内になるため、電磁波の漏洩および静電気の流入とを有効に防止できる。
【００６３】
本発明の電子機器は、ポータブルコンピュータ用に限らず、例えば携帯情報端末のようなその他の電子機器に対しても実施可能である。その他、電子機器は、発明の要旨を逸脱しない範囲で種々変形して実施することができる。例えば、第１から第３の突起状皮膜の形状は、上記の鋭角または鈍角の三角形に限られるものではない。図２１に示すように、第１の突起状皮膜１１１は、例えば、各先端部が第１の開口部２６Ａに接した半円形状であってもよい。また、図２２に示すように、第１の突起状皮膜１２１は、例えば、略台形状であってもよい。図２１と図２２に示す第１の突起状皮膜１１１、１２１であっても、筐体２１内からの電磁波の漏洩と、筐体２１外からの静電気の流入とを十分に防止することができる。しかし、これらの形状の第１の突起状皮膜１１１、１２１は、吹き付け塗装で形成する際に、各先端部から導電皮膜３２の材料が第１の開口部２６Ａに漏れてしまう可能性がある。このため、これらの形状の第１の突起状皮膜１１１、１２１を採用する際には、導電皮膜３２を吹き付け塗装以外の塗装方法で形成することが好ましい。
【図面の簡単な説明】
【００６４】
【図１】第１の実施形態に係るポータブルコンピュータを示す斜視図。
【図２】図１に示すポータブルコンピュータのフロントパネルおよび塗装治具を示す斜視図。
【図３】図２に示すフロントパネルに塗装治具を装着し、塗装する状態を示す斜視図。
【図４】図３に示すフロントパネルおよび塗装治具のうち、第１の開口部付近を拡大して示す斜視図。
【図５】図４に示すフロントパネルを内側からみた平面図。
【図６】図５に示すフロントパネルに形成される第１の突起状皮膜を示す平面図。
【図７】図３に示すフロントパネルおよび塗装治具のうち、第２の開口部付近を拡大して示す斜視図。
【図８】図７に示すフロントパネルを内側からみた平面図。
【図９】図３に示すフロントパネルおよび塗装治具のうち、第３の開口部付近を拡大して示す斜視図。
【図１０】図９に示すフロントパネルを内側からみた平面図。
【図１１】第２の実施形態に係るポータブルコンピュータのフロントパネルの第１の開口部付近を拡大して示す平面図。
【図１２】図１１に示すフロントパネルに形成される第１の突起状皮膜を示す平面図。
【図１３】第３の実施形態に係るポータブルコンピュータのフロントパネルの第１の開口部付近を拡大して示す平面図。
【図１４】図１３に示すフロントパネルに形成される第１の突起状皮膜を示す平面図。
【図１５】第４の実施形態に係るポータブルコンピュータのフロントパネルの第１の開口部付近を拡大して示す平面図。
【図１６】図１５に示すフロントパネルに形成される第１の突起状皮膜を示す平面図。
【図１７】第５の実施形態に係るポータブルコンピュータのフロントパネルの第１の開口部付近を拡大して示す平面図。
【図１８】図１７に示すフロントパネルに形成される第１の突起状皮膜を示す平面図。
【図１９】第６の実施形態に係るポータブルコンピュータのフロントパネルの第１の開口部付近を拡大して示す平面図。
【図２０】図１９に示すフロントパネルに形成される第１の突起状皮膜を示す平面図。
【図２１】他の実施形態に係るポータブルコンピュータのフロントパネルの第１の開口部付近を拡大して示す平面図。
【図２２】他の実施形態に係るポータブルコンピュータのフロントパネルの第１の開口部付近を拡大して示す平面図。
【符号の説明】
【００６５】
１１、６１、７１、８１、９１、１０１…ポータブルコンピュータ、２１…筐体、２１Ｃ…フロントパネル、２６…複数の開口部、２６Ａ…第１の開口部、２６Ｂ…第２の開口部、２６Ｃ…第３の開口部、３１、６３、７３、８３、９３、１０３…第１のマージン領域、３２…導電皮膜、３３…第１の境界部、３４、６２、７２、８２、９２、１０２、１１１、１２１…第１の突起状皮膜、３４Ａ、６２Ａ、７２Ａ、８２Ａ、９２Ａ、１０２Ａ…第１の先端部、３８…第２のマージン領域、３９…第２の境界部、４０…第２の突起状皮膜、４０Ａ…第２の先端部、４３…第３のマージン領域、４４…第３の境界部、４５…第３の突起状皮膜、４５Ａ…第３の先端部、４８…塗装治具、４９…第１のブロック、４９Ａ…第１の本体、４９Ｂ…第１の溝部、８４、９４、１０４…隙間
【図１】
2008140923.tif 000003
【図２】
2008140923.tif 000004
【図３】
2008140923.tif 000005
【図４】
2008140923.tif 000006
【図５】
2008140923.tif 000007
【図６】
2008140923.tif 000008
【図７】
2008140923.tif 000009
【図８】
2008140923.tif 000010
【図９】
2008140923.tif 000011
【図１０】
2008140923.tif 000012
【図１１】
2008140923.tif 000013
【図１２】
2008140923.tif 000014
【図１３】
2008140923.tif 000015
【図１４】
2008140923.tif 000016
【図１５】
2008140923.tif 000017
【図１６】
2008140923.tif 000018
【図１７】
2008140923.tif 000019
【図１８】
2008140923.tif 000020
【図１９】
2008140923.tif 000021
【図２０】
2008140923.tif 000022
【図２１】
2008140923.tif 000023
【図２２】
2008140923.tif 000024